(57)【要約】  第１グループと第２グループとを含む複数のグループのいずれかに属する複数の表示対象の現在位置をリアルタイムで表示する動態表示装置（５）は、複数の表示対象のそれぞれの位置情報を取得する位置情報取得部（２０２）と、表示部と、位置情報取得部（２０２）により取得された位置情報に基づいて、地図画像上に表示対象の現在位置を示すアイコン画像をリアルタイムで表示するように表示部を制御する表示制御部（２０３）とを備える。表示制御部（２０３）は、第１グループに属する表示対象のアイコン画像をリアルタイムで表示する第１グループ表示モードと、第２グループに属する表示対象のアイコン画像をリアルタイムで表示する第２グループ表示モードとを含む複数の表示モードを所定の時間間隔で切り替える表示モード切替部（２０４）を有する。
2020105193.tif 000002
【特許請求の範囲】
【請求項１】
第１グループと第２グループとを含む複数のグループのいずれかに属する複数の表示対象の現在位置をリアルタイムで表示する動態表示装置であって、
前記複数の表示対象のそれぞれの位置情報を取得する位置情報取得部と、
表示部と、
前記位置情報取得部により取得された位置情報に基づいて、地図画像上に前記表示対象の現在位置を示すアイコン画像をリアルタイムで表示するように前記表示部を制御する表示制御部と、を備え、
前記表示制御部は、前記第１グループに属する表示対象の前記アイコン画像をリアルタイムで表示する第１グループ表示モードと、前記第２グループに属する表示対象の前記アイコン画像をリアルタイムで表示する第２グループ表示モードと、を含む複数の表示モードを所定の時間間隔で切り替える表示モード切替部を有することを特徴とする動態表示装置。
【請求項２】
請求項１に記載の動態表示装置において、
ユーザからの指令を受け付ける指令受付部をさらに備え、
前記表示制御部は、前記指令受付部により受け付けられた指令に応じて、前記表示モード切替部による表示モードの切替を停止することを特徴とする動態表示装置。
【請求項３】
請求項２に記載の動態表示装置において、
前記指令受付部は、前記表示部に押下可能に表示されるボタン画像がユーザにより押下されたことを契機としてユーザからの指令を受け付けることを特徴とする動態表示装置。
【請求項４】
請求項２または３に記載の動態表示装置において、
前記指令受付部は、前記表示部に選択可能に表示される前記複数のグループのそれぞれに対応した複数のボタン画像のいずれかがユーザにより選択されたことを契機としてユーザからの指令を受け付け、
前記表示モード切替部は、ユーザにより選択されたグループを表示するように前記表示モードを切り替え、
前記表示制御部は、前記指令受付部により受け付けられた指令に応じて、前記表示モード切替部による表示モードの切替を停止することを特徴とする動態表示装置。
【請求項５】
請求項２〜４のいずれか１項に記載の動態表示装置において、
前記地図画像は、縮尺および位置を変更する操作可能に、前記表示部に表示され、
前記指令受付部は、前記地図画像がユーザにより操作されたことを契機としてユーザからの指令を受け付け、
前記表示制御部は、前記指令受付部により受け付けられた指令に応じて、前記表示モード切替部による表示モードの切替を停止することを特徴とする動態表示装置。
【請求項６】
請求項１〜５のいずれか１項に記載の動態表示装置において、
前記表示制御部は、前記表示モード切替部により表示モードが前記第１グループ表示モードに切り替えられると、前記位置情報取得部により位置情報が取得された前記第１グループに属する全ての表示対象の前記アイコン画像をリアルタイムで表示し、前記表示モード切替部により表示モードが前記第２グループ表示モードに切り替えられると、前記位置情報取得部により位置情報が取得された前記第２グループに属する全ての表示対象の前記アイコン画像をリアルタイムで表示するように前記表示部を制御することを特徴とする動態表示装置。
【請求項７】
請求項６に記載の動態表示装置において、
前記表示モード切替部は、前記複数のグループを同時に表示する全グループ表示モードをさらに含む前記複数の表示モードを所定の時間間隔で切り替えることを特徴とする動態表示装置。
【請求項８】
請求項１〜７のいずれか１項に記載の動態表示装置において、
前記表示制御部は、前記表示モード切替部により表示モードが前記第１グループ表示モードに切り替えられると、前記第１グループに対して予め設定された第１エリア内に位置する表示対象の前記アイコン画像をリアルタイムで表示し、前記表示モード切替部により表示モードが前記第２グループ表示モードに切り替えられると、前記第２グループに対して予め設定された第２エリア内に位置する表示対象の前記アイコン画像をリアルタイムで表示するように前記表示部を制御することを特徴とする動態表示装置。
【請求項９】
請求項１〜８のいずれか１項に記載の動態表示装置において、
前記位置情報取得部により取得された位置情報に基づいて、前記表示対象が所定範囲内に所定時間以上滞在している滞留状態であるか否かを判定する滞留判定部をさらに備え、
前記表示制御部は、前記滞留判定部により前記滞留状態であると判定された表示対象の前記アイコン画像を他の表示対象の前記アイコン画像とは識別可能な態様で表示する、あるいは、前記滞留判定部により前記滞留状態であると判定された表示対象について警告する滞留警告画像を表示するように前記表示部を制御することを特徴とする動態表示装置。
【請求項１０】
請求項１〜９のいずれか１項に記載の動態表示装置において、
前記表示対象が、所定時間以上、前記位置情報取得部により位置情報の取得が不能な通信不能状態であるか否かを判定する通信不能判定部をさらに備え、
前記表示制御部は、前記通信不能判定部により前記通信不能状態であると判定された表示対象の前記アイコン画像を他の表示対象の前記アイコン画像とは識別可能な態様で表示するように前記表示部を制御することを特徴とする動態表示装置。
【請求項１１】
請求項１〜１０のいずれか１項に記載の動態表示装置と、
前記表示対象とともに移動し、前記表示対象の位置情報を前記動態表示装置に送信する移動端末と、を備えることを特徴とする動態表示システム。
【請求項１２】
第１グループと第２グループとを含む複数のグループのいずれかに属する複数の表示対象の現在位置をリアルタイムで表示する動態表示方法であって、
前記複数の表示対象のそれぞれの位置情報を取得し、
取得した位置情報に基づいて、地図画像上に前記表示対象の現在位置を示すアイコン画像をリアルタイムで表示するように表示部を制御し、
前記第１グループに属する表示対象の前記アイコン画像をリアルタイムで表示する第１グループ表示モードと、前記第２グループに属する表示対象の前記アイコン画像をリアルタイムで表示する第２グループ表示モードと、を含む複数の表示モードを所定の時間間隔で切り替えることを含む動態表示方法。
【請求項１３】
第１グループと第２グループとを含む複数のグループのいずれかに属する複数の表示対象の現在位置をリアルタイムで表示する動態表示プログラムであって、
前記複数の表示対象のそれぞれの位置情報を取得する手順と、
取得した位置情報に基づいて、地図画像上に前記表示対象の現在位置を示すアイコン画像をリアルタイムで表示するように表示部を制御する手順と、
前記第１グループに属する表示対象の前記アイコン画像をリアルタイムで表示する第１グループ表示モードと、前記第２グループに属する表示対象の前記アイコン画像をリアルタイムで表示する第２グループ表示モードと、を含む複数の表示モードを所定の時間間隔で切り替える手順と、をコンピュータに実行させるための動態表示プログラム。
【発明の詳細な説明】
【技術分野】
【０００１】
本発明は、複数の表示対象の動態を表示する動態表示装置、動態表示システム、動態表示方法および動態表示プログラムに関する。
【背景技術】
【０００２】
この種の技術として、従来、荷物を輸送する複数の車両の現在位置を、車両の運行を管理するユーザの端末に表示するようにした装置が知られている（例えば特許文献１参照）。この特許文献１記載の装置では、ユーザにより端末を介して指定された出発地や目的地、車両種別等の条件を満足する車両を抽出し、ユーザの端末の画面に表示された地図データに重畳して、抽出された車両の現在位置を表す車両マークをリアルタイムで表示する。
【先行技術文献】
【特許文献】
【０００３】
【特許文献１】特開２０１６−５３７７７号公報
【発明の概要】
【発明が解決しようとする課題】
【０００４】
しかしながら、上記特許文献１記載の装置では、条件を満たす車両の動態が単一の地図上に表示されるだけであり、表示される車両数が多い場合や表示される車両が互いに離間した複数のエリアに分散しているような場合には、各車両の動態をユーザにとって良好な態様で表示することが難しい。【０００５】
すなわち、上記特許文献１記載の装置では、単一の地図上に全ての車両が表示されるため、車両が広範囲に分散している場合は地図画面が広域表示となり、個々の車両の動きを把握することが難しい。また、車両が互いに離間した複数のエリアに分散している場合、個々の車両の動きを見るには地図画面を操作して表示位置を調整する必要があり、ユーザにとって手間となる。また、表示位置の異なる複数の地図画面を同時に表示するには、複数のディスプレイあるいは大型のディスプレイが必要となり、装置全体のコストが増大する。
【課題を解決するための手段】
【０００６】
本発明の一態様は、第１グループと第２グループとを含む複数のグループのいずれかに属する複数の表示対象の現在位置をリアルタイムで表示する動態表示装置であって、複数の表示対象のそれぞれの位置情報を取得する位置情報取得部と、表示部と、位置情報取得部により取得された位置情報に基づいて、地図画像上に表示対象の現在位置を示すアイコン画像をリアルタイムで表示するように表示部を制御する表示制御部と、を備える。表示制御部は、第１グループに属する表示対象のアイコン画像をリアルタイムで表示する第１グループ表示モードと、第２グループに属する表示対象のアイコン画像をリアルタイムで表示する第２グループ表示モードと、を含む複数の表示モードを所定の時間間隔で切り替える表示モード切替部を有する。【０００７】
本発明の別の態様である動態表示システムは、動態表示装置と、表示対象とともに移動し、表示対象の位置情報を動態表示装置に送信する移動端末と、を備える。【０００８】
本発明のさらなる別の態様は、第１グループと第２グループとを含む複数のグループのいずれかに属する複数の表示対象の現在位置をリアルタイムで表示する動態表示方法であって、複数の表示対象のそれぞれの位置情報を取得し、取得した位置情報に基づいて、地図画像上に表示対象の現在位置を示すアイコン画像をリアルタイムで表示するように表示部を制御し、第１グループに属する表示対象のアイコン画像をリアルタイムで表示する第１グループ表示モードと、第２グループに属する表示対象のアイコン画像をリアルタイムで表示する第２グループ表示モードと、を含む複数の表示モードを所定の時間間隔で切り替えることを含む。【０００９】
本発明のさらなる別の態様は、第１グループと第２グループとを含む複数のグループのいずれかに属する複数の表示対象の現在位置をリアルタイムで表示する動態表示プログラムであって、複数の表示対象のそれぞれの位置情報を取得する手順と、取得した位置情報に基づいて、地図画像上に表示対象の現在位置を示すアイコン画像をリアルタイムで表示するように表示部を制御する手順と、第１グループに属する表示対象のアイコン画像をリアルタイムで表示する第１グループ表示モードと、第２グループに属する表示対象のアイコン画像をリアルタイムで表示する第２グループ表示モードと、を含む複数の表示モードを所定の時間間隔で切り替える手順と、をコンピュータに実行させる。
【発明の効果】
【００１０】
本発明によれば、表示対象の動態を良好な態様で表示することができる。
【図面の簡単な説明】
【００１１】
【図１】本発明の実施形態に係る動態表示装置を含む動態表示システムのシステム構成の一例を示す図。
【図２】図１の配達員端末の概略構成を示すブロック図。
【図３】図１の管理サーバの概略構成を示すブロック図。
【図４】全グループ表示モードにおいて図１の管理者端末の表示部に表示される画面表示の一例。
【図５】第１グループ表示モードにおいて図１の管理者端末の表示部に表示される画面表示の一例。
【図６】図１の配達員端末の状態について説明するための図。
【図７Ａ】第２グループ表示モードにおいて図１の管理者端末の表示部に表示される画面表示の一例。
【図７Ｂ】第２グループ表示モードにおいて図１の管理者端末の表示部に表示される画面表示の別の例。
【図８】第３グループ表示モードにおいて図１の管理者端末の表示部に表示される画面表示の一例。
【図９】図３の管理サーバで実行される処理の一例を示すフローチャート。
【図１０】図１の管理者端末の概略構成を示すブロック図。
【発明を実施するための形態】
【００１２】
以下、図１〜図１０を参照して本発明の一実施形態について説明する。本発明の実施形態に係る動態表示装置は、外勤中の担当者や大型施設の来場者等の動きをリアルタイムで表示する種々の業種の動態表示システムに用いることができる。
【００１３】
以下では、営業担当者が外回りを行う、あるいは配達員が荷物、チラシ、手紙、はがき等の郵便物等のポスティングや配達を行うポスティングや配達等の各種サービス、特に、配達員が荷物、チラシ、手紙、はがき等の郵便物等のポスティングや配達を行うポスティングや配達サービスの動態表示システムに適用する例を説明する。すなわち、配送業者や郵便局などの配送拠点でポスティングや配達の作業を行う配達員の動きをリアルタイムで表示する例を説明する。
【００１４】
このようなポスティングや配達サービスでは、配達時の配達員の動き（動態）を管理者が把握しやすい良好な態様で表示することが好ましい。そこで本実施形態では、表示すべき配達員が多い場合や、表示すべき配達員が互いに離間した複数のエリアに分散しているような場合にも、各配達員の動態を管理者にとって良好な態様で表示するよう、以下のように動態表示装置を構成する。
【００１５】
［動態表示システム１００の機能構成］
まず、本発明の実施形態に係る動態表示システム１００の機能構成について説明する。図１は、動態表示システム１００のシステム構成の一例を示す図である。図１に示すように、動態表示システム１００は、インターネット網や携帯電話網等に代表される公衆無線通信網を含むネットワーク４で接続された、複数（図１では２台）の配達員端末１Ａ，１Ｂと、管理サーバ２と、管理者端末３とを含んで構成される。
【００１６】
このような動態表示システム１００のうち、管理サーバ２と管理者端末３とが全体として本発明の実施形態に係る動態表示装置５を構成する。なお、管理サーバ２または管理者端末３が単独で動態表示装置５を構成することもできる。なお、ネットワーク４には、所定の管理地域ごとに設けられた閉鎖的な通信網、例えば無線ＬＡＮ、Ｗｉ−Ｆｉ（Wireless Fidelity）（登録商標）等も含まれる。
【００１７】
配達員端末１Ａ，１Ｂは、ポスティングや配達の作業を行う配達員Ａ，Ｂが衣服のポケット、携行する鞄、ポーチ等に収納し、あるいはポスティングや配達の作業に利用する車両６Ａ，６Ｂのクレイドルなどに設置して使用することができる。本実施形態では、公衆無線通信接続可能なスマートフォンやタブレット端末、携帯電話、ＰＤＡ（Personal Digital Assistant）、さらには各種ウェアラブル端末を、配達員端末１Ａ，１Ｂと総称する。
【００１８】
配達員端末１Ａと１Ｂとは共通の構成を有する。なお、配達員端末１Ａ，１Ｂは３台以上でもよい。車両６Ａ，６Ｂは、四輪車やオートバイ、自転車、手押し車等のキャリーカーであり、図１には、一例として、荷物、チラシ、手紙、はがき等の郵便物等のポスティングや集配に広く用いられている軽自動車６Ａと原動機付自転車６Ｂとが示される。配達員Ａ，Ｂは、車両６Ａ，６Ｂを使用せずに徒歩でポスティングや配達の作業を行ってもよい。
【００１９】
次に、配達員端末１Ａ，１Ｂ、管理サーバ２および管理者端末３の各構成について説明する。
【００２０】
＜配達員端末１Ａ，１Ｂ＞
まず、配達員端末１Ａ，１Ｂについて説明する。配達員端末１Ａ，１Ｂには各種アプリケーションソフトウェアがインストール可能であり、本実施形態に係る配達員端末１Ａ，１Ｂは、スマートフォンにインストールされたアプリケーションソフトウェアによって動態表示システムを構成する。市販のスマートフォンを利用することで、システムの構築にかかるコストを抑えることができる。
【００２１】
図２は、配達員端末１Ａ，１Ｂの概略構成を示すブロック図である。図２に示すように、配達員端末１Ａは、制御部１０と、記憶部１１と、無線部１２と、センサ部１３と、表示部１４と、入力部１５とを有する。
【００２２】
記憶部１１は、半導体メモリやハードディスク等で構成される。記憶部１１には、オペレーティングシステム（ＯＳ）や、ポスティングや配達の作業を支援するためのアプリケーションプログラムを含むソフトウェア、道路地図や住宅地図等の地図情報、配達先の顧客情報等、種々の情報が記憶される。顧客情報には、配達先の住所や電話番号の他、宅配ボックスの有無等の顧客に関連付けられた情報が含まれる。なお、ソフトウェア、地図情報、顧客情報については、それぞれを予め記憶部１１に記憶しておいてもよく、あるいは管理サーバ２から取得してもよい。
【００２３】
無線部１２は、ＤＳＰ（Digital Signal Processor）等を有し、３Ｇ、ＬＴＥ、４Ｇ、５Ｇ等の携帯電話網に代表される無線通信網を介し、管理サーバ２と無線通信可能に構成される。無線部１２は、例えばＷｉ−Ｆｉ（登録商標）、Bluetooth（登録商標）等の近接無線通信技術を適用可能な近接無線通信部（図示せず）を含むように構成されてもよい。無線部１２は、配達員Ａ，Ｂを識別するログインＩＤ（「配達員ＩＤ」ともいう）、配達員Ａ，Ｂまたは車両６Ａ，６Ｂの現在位置情報、速度情報等を管理サーバ２に送信することができる。
【００２４】
センサ部１３は、複数のＧＰＳ衛星からの測位信号を受信して、対応する配達員Ａ、Ｂの絶対位置（緯度、経度）を測定するＧＰＳセンサ１３ａと、角速度を検出するジャイロセンサ１３ｂ等から構成される。ＧＰＳ衛星からの測位信号の受信が不可能な場合、ＡＧＰＳ（Assisted Global Positioning System）通信を利用し、無線部１２から取得される無線通信網の基地局情報によって配達員Ａ，Ｂまたは車両６Ａ，６Ｂの現在位置を算出することもできる。
【００２５】
表示部１４は、液晶ディスプレイまたは有機ＥＬパネル等の表示デバイスにより構成される。表示部１４は、制御部１０からの指示を受けて、地図やタッチパネル用の操作ボタンのアイコン等を表示するとともに、配達員Ａ，Ｂまたは車両６Ａ，６Ｂの現在位置、現在位置周辺、配達先付近の地図等の各種情報を表示することができる。
【００２６】
入力部１５は、配達員Ａ，Ｂによって操作されるテンキーなどの物理スイッチや表示部１４の表示面に重ねて設けられたタッチパネル等の入力装置（図示せず）等で構成される。入力部１５からの操作入力、例えば配達員Ａ，Ｂによるテンキーの押下、タッチパネルの押下に基づいた信号は制御部１０に出力され、これにより表示部１４の画面表示の切替え等の操作を配達員Ａ，Ｂが行うことができる。
【００２７】
なお、図示は省略するが、配達員端末１Ａ，１Ｂは、この他にスピーカやバイブレータ、ライト、マイク等を備えることができる。スピーカやバイブレータ、ライトは、配達員に対し音や振動、光により各種情報を報知する。また、スピーカは、配達員に対し音声出力を行い、マイクは、配達員によって発せられた音声等を集音する。これにより、スピーカから各種情報を音声で出力するとともに、マイクを介して音声入力された配達員による各種指令を、音声認識技術を用いて制御部１０に入力することができる。
【００２８】
制御部１０は、ＣＰＵ、ＲＡＭ、ＲＯＭ、Ｉ／Ｏ等を有するマイクロプロセッサを含んで構成される。ＣＰＵは、予め記憶されたプログラムを実行し、記憶部１１、無線部１２、センサ部１３、表示部１４および入力部１５と信号の授受を行う。制御部１０は、機能的構成として、表示制御部１０１と、接続処理部１０２と、位置情報通知部１０３とを有する。
【００２９】
表示制御部１０１は、入力部１５の操作に応じて、あるいは無線部１２による種々の情報の受信に応じて、画像信号を生成して表示部１４に送信することで、表示部１４による画面表示を制御する。表示制御部１０１が表示部１４に表示させる画面表示には、動態表示システム１００にログインするためのログイン画面等が含まれる。
【００３０】
接続処理部１０２は、表示部１４に表示されるログイン画面において、入力部１５を介して配達員Ａ，Ｂにより入力されるログインＩＤおよびパスワードを、無線部１２を介し管理サーバ２に送信する。これにより、配達員端末１Ａ，１Ｂが管理サーバ２と通信可能な状態で接続される。この配達員によるログイン入力は、配達員の始業時、すなわち、配達員が配送拠点から出発するときに実行される。
【００３１】
また、接続処理部１０２は、入力部１５を介してログアウトが入力されると、無線部１２を介して管理サーバ２に対しログアウトを送信する。これにより、配達員端末１Ａ，１Ｂと管理サーバ２との間の通信接続が終了される。この配達員によるログアウト入力は、配達員の終業時、すなわち、配達員が配送拠点に戻ったときに実行される。なお、ログアウトは、配達員が配送拠点に戻ったときに、時刻や位置情報に基づいて自動的に実行されてもよい。
【００３２】
位置情報通知部１０３は、センサ部１３（ＧＰＳセンサ１３ａ）により受信されたＧＰＳ信号に基づいて算出した配達員端末１Ａ，１Ｂとともに移動する配達員Ａ，Ｂまたは車両６Ａ，６Ｂの現在位置情報等を、無線部１２を介し、配達員ＩＤに対応付けて所定の時間間隔（例えば１秒間隔）で管理サーバ２に送信する。
【００３３】
配達員Ａ，Ｂまたは車両６Ａ，６Ｂの位置は、時々刻々と変化するため、現在位置情報を所定時間間隔で取得する場合、直近の現在位置情報から求まる位置と実際の位置とは、厳密にいうと一致しないことがある。しかしながら、そのずれは小さいため、所定時間間隔で取得した現在位置情報から求まる位置を、現在位置とみなすことができる。
【００３４】
なお、所定の時間間隔で取得した配達員Ａ，Ｂまたは車両６Ａ，６Ｂの現在位置情報等を、複数個まとめて一度に送信（いわゆるバースト送信）することもできる。配達員または車両の現在位置情報等の取得時間間隔（例えば、１秒間隔）や複数個まとめてバースト送信する場合に一度に送信する個数等については、予め設定することができる。
【００３５】
＜管理サーバ２＞
次に、管理サーバ２について説明する。管理サーバ２は、本実施形態では種々の機能を備えた単一のサーバとして説明するが、機能毎に別のサーバから構成される分散サーバであってもよく、またクラウドサーバ（仮想サーバ）で実現されてもよい。
【００３６】
図３は、管理サーバ２の概略構成を示すブロック図である。図３に示すように、管理サーバ２は、制御部２０と、記憶部２１と、通信部２２と、表示部２４と、入力部２５とを有する。なお、表示部２４と入力部２５とは、省略することもできる。また、表示部２４と入力部２５とは、管理サーバ２に接続される別の情報端末（不図示）で構成することもできる。
【００３７】
記憶部２１は、半導体メモリやハードディスクドライブ等で構成される。記憶部２１には、オペレーティングシステム（ＯＳ）やアプリケーションと呼ばれるソフトウェアや、その他の種々の情報が記憶される。このため、記憶部２１には、配達員情報エリア２１１、車両情報エリア２１２、ポスティング先または配達先情報エリア２１３、地図情報エリア２１４といった、様々な記憶エリアが確保される。なお、情報エリアとは例えばデータベースマネジメントシステムにおけるテーブル等である。
【００３８】
配達員情報エリア２１１には、配達員Ａ，Ｂの識別情報である従業員ＩＤ（「配達員ＩＤ」ともいう）毎に、当該配達員Ａ，Ｂに関する基本的な情報、例えば、配達員Ａ，Ｂの氏名、所属先の配送拠点、所属先の配達グループ等を管理する配達員情報が記憶される。また、配達員情報エリア２１１には、配達員Ａ，Ｂが所属する各配達グループがポスティングや配達の作業を担当する担当エリアの情報が記憶される。
【００３９】
配達員情報エリア２１１に記憶される担当エリアの情報には、各担当エリアを地図上に表示するときの代表点（中心点）の位置情報（緯度、経度）および縮尺の情報、または各担当エリアを地図上に表示するときの対角の頂点の位置情報（緯度、経度）が含まれる。
【００４０】
さらに、配達員情報エリア２１１には、配達員が使用する車両、すなわち配達員ＩＤに対して車両６Ａ，６Ｂの識別情報である車両ＩＤが対応付けて記憶される。配達員ＩＤに対する車両ＩＤの対応付けについては、例えば１日のポスティングや配達の作業の開始に先立ち、配送拠点の管理者により、予め設定される。
【００４１】
車両情報エリア２１２には、車両ＩＤ毎に、当該車両に関する情報、例えば、四輪車、オートバイ、自転車等の車両の種別や、荷室の大きさ等の情報が記憶される。
【００４２】
ポスティング先または配達先情報エリア２１３には、配達先の住所や電話番号、配達先が含まれる配達エリア等を含む配達先の情報が記憶される。なお、配達エリアは、各配達員にポスティングや配達の作業を割り当てる便宜上、配送拠点の管理者により予め設定されたエリアであり、例えば１つまたは複数の街区に相当する１０〜３０世帯の配達先で構成される。
【００４３】
配達員情報エリア２１１に記憶される配達員Ａ，Ｂが所属する各配達グループに割り当てられる担当エリアは、複数の配達エリアで構成される。各配達グループに所属する配達員Ａ，Ｂは、所属する配達グループに割り当てられた担当エリアでのポスティングや配達の作業を担当する。
【００４４】
地図情報エリア２１４には、道路地図や住宅地図等の地図情報が予め格納される。地図情報には、道路リンク情報、道路および道路地図等の背景を表示するための表示用地図データ等が含まれる。これらの地図情報は定期的に更新される。
【００４５】
通信部２２は、配達員端末１Ａ，１Ｂとの送受信の場合には、例えば、３Ｇ、ＬＴＥ、４Ｇ、５Ｇ等の無線通信をすることができる通信プロトコルを実装する。一方、通信部２２は、管理者端末３との送受信の場合には、有線通信（例えば、インターネット回線等）または無線通信することができる通信プロトコルを実装する。
【００４６】
制御部２０は、ＣＰＵ、ＲＡＭ、ＲＯＭ、Ｉ／Ｏ等を有するプロセッサを含んで構成される。制御部２０は、機能的構成として、接続処理部２０１と、位置情報取得部２０２と、表示制御部２０３と、表示モード切替部２０４と、滞留判定部２０５と、通信不能判定部２０６と、情報出力部２０７とを有する。
【００４７】
接続処理部２０１は、配達員端末１Ａ，１Ｂからのログイン処理を実行し、配達員端末１Ａ，１Ｂと接続処理を行う。また、接続処理部２０１は、配達員端末１Ａ，１Ｂからのログアウト処理を実行し、配達員端末１Ａ，１Ｂとの接続を終了する。さらに接続処理部２０１は、管理者端末３からのログイン処理を実行して、管理者端末３と接続処理を行うとともに、管理者端末３からのログアウト処理を実行して、管理者端末３との接続を終了する。
【００４８】
位置情報取得部２０２は、配達員端末１Ａ，１Ｂから管理サーバ２宛てに送信されるデータを、通信部２２を介して受信することで各種情報を取得する。位置情報取得部２０２が取得する情報には、各配達員端末１Ａ，１Ｂの位置情報通知部１０３から送信された配達員Ａ，Ｂまたは車両６Ａ，６Ｂの位置情報が含まれる。位置情報は、具体的には緯度および経度で表される。
【００４９】
表示制御部２０３は、管理者端末３からの指令に応じ、画像信号を生成して管理者端末３に送信し、管理者端末３の表示部３４に各種画像を表示させる。
【００５０】
滞留判定部２０５は、位置情報取得部２０２により取得された位置情報に基づいて、配達員Ａ，Ｂまたは車両６Ａ，６Ｂが所定範囲内（例えば、半径５ｍの範囲内）に所定時間以上（例えば、３分間以上）滞在している滞留状態であるか否かを判定する。
【００５１】
通信不能判定部２０６は、配達員Ａ，Ｂまたは車両６Ａ，６Ｂが、所定時間以上（例えば、３分間以上）位置情報取得部２０２により位置情報の取得が不能な通信不能状態であるか否かを判定する。
【００５２】
図４、図５、図７Ａ〜図８は、管理者端末３の表示部３４に表示される画面表示ＤＰの一例であり、３０人の配達員０１〜３０を管理する配送拠点の管理者端末３に表示される画面表示ＤＰを示す。
【００５３】
図４は、管理者端末３からの指令に応じて、接続処理部２０１により管理者端末３との接続処理が行われると、管理者端末３の表示部３４に表示される初期の画面表示ＤＰの一例である。図４の例では、地図画像ＭＡＰ上に配達員０１〜３０の現在位置Ｐ０１〜Ｐ３０を示す位置アイコンＰＩ０１〜ＰＩ３０が重畳して表示される動態画像ＤＰ１が表示され、動態画像ＤＰ１の左側にメニューＤＰ２が表示される。
【００５４】
初期状態の動態画像ＤＰ１には、管理者端末３を介して入力された拠点管理者ＩＤに応じて、配送拠点の管理者が管理する配達グループ１〜３に所属する配達員０１〜３０の現在位置がリアルタイムで表示（動態表示）される（全グループ表示モード）。動態画像ＤＰ１における地図の縮尺および中心位置は、管理者端末３の入力部３５、例えば、表示部３４に設けられたタッチパネルやマウス等を介して適宜変更することができる。
【００５５】
動態画像ＤＰ１において動態表示される配達員の中に、滞留判定部２０５により滞留状態であると判定された配達員がいると、その配達員の現在位置Ｐを示す位置アイコンＰＩが他の配達員の現在位置Ｐを示す位置アイコンＰＩとは異なる態様で表示される。例えば、位置アイコンＰＩの表示色が変更される、あるいは位置アイコンＰＩが点滅するなど、認識可能な態様で表示される。画面表示ＤＰ上に、滞留状態であると判定された配達員が存在する旨を警告するメッセージ等を表示してもよい。
【００５６】
メニューＤＰ２の上部には、後述するように動態画像ＤＰ１の表示モードを自動的に切り替える自動切替機能をオンまたはオフにする自動切替ボタンＢＴ１が表示される。メニューＤＰ２の下部には、配送拠点の管理者が管理する配達グループ１〜３ごとに、動態画像ＤＰ１に各配達グループ１〜３の配達員の動態のみを表示する地図表示ボタンＢＴ６１〜ＢＴ６３と、ドロップダウンメニューＤＤ１〜ＤＤ３とが表示される。
【００５７】
自動切替ボタンＢＴ１の下方には、配達員０１〜３０の動態を全て表示する全表示ボタンＢＴ２および全て非表示する全非表示ボタンＢＴ３が表示される。また、ドロップダウンメニューＤＤ１〜ＤＤ３を全て折り畳んで表示する全折畳ボタンＢＴ４、および全て展開して表示する全展開ボタンＢＴ５が表示される。
【００５８】
図５、図７Ａ〜図８はそれぞれ、管理者端末３のタッチパネル（入力部３５）を介して地図表示ボタンＢＴ６１〜ＢＴ６３が押下されると表示される画面表示ＤＰの一例である。
【００５９】
図５の動態画像ＤＰ１には、配達グループ１に所属する１０人の配達員０１〜１０のうち、動態表示システム１００にログインしているログイン状態の５人の配達員０６〜１０の現在位置Ｐ０６〜Ｐ１０を示す位置アイコンＰＩ０６〜ＰＩ１０がリアルタイムで表示される（第１グループ表示モード）。動態表示システム１００からログアウトしているログアウト状態の配達員０１〜０５の現在位置は、表示されない。動態画像ＤＰ１の左上部には、表示される配達グループの名称「グループ１」が表示される。
【００６０】
図６は、配達員端末１Ａ，１Ｂの状態について説明するための図である。図６に示すように、各配達員端末１Ａ，１Ｂの状態（ステータス、配達員の状態）には、ログイン状態とログアウト状態とがある。さらに、ログイン状態の配達員端末１Ａ，１Ｂの状態には、管理サーバ２の位置情報取得部２０２により所定時間（例えば、３分間）以内に位置情報が取得された通信可能状態と、所定時間以内に位置情報が取得されていない通信不能状態とがある。通信不能状態には、配達員端末１Ａ，１Ｂの電池切れ、ネットワーク４のトラブル等が含まれる。
【００６１】
通信不能状態の配達員（図４、図５の例では、配達員１０）については、最後に取得された現在位置Ｐ１０を示す位置アイコンＰＩ１０が他の配達員の現在位置Ｐを示す位置アイコンＰＩとは異なる態様で表示される。例えば、位置アイコンＰＩ１０の表示色が変更される、あるいは位置アイコンＰＩが点滅するなど、認識可能な態様で表示される。すなわち、通信不能判定部２０６による判定結果として、配達員１０が位置情報の取得が不能な通信不能状態であることが認識可能に表示される。
【００６２】
メニューＤＰ２では、動態画像ＤＰ１に表示される配達グループ１のドロップダウンメニューＤＤ１が強調表示される。ドロップダウンメニューＤＤ１には、配達グループ１に所属する１０人の配達員のうち５人がログイン状態であること、あるいは、残りの５人がログアウト状態であることが認識可能に表示される。
【００６３】
さらに、図５に示すように、ドロップダウンメニューＤＤ１が展開されると、配達グループ１に所属する１０人の配達員０１〜１０それぞれのステータス（ログイン状態またはログアウト状態）が識別可能に表示される。また、ログイン状態である５人の配達員０６〜１０については、ステータスに加えて使用中の車両の種別が表示されるとともに、チェックボックスＣＢが表示される。
【００６４】
管理者端末３のタッチパネル（入力部３５）を介して各配達員０６〜１０のチェックボックスＣＢを押下することで、動態画像ＤＰ１における各配達員０６〜１０の現在位置Ｐ０６〜Ｐ１０の表示または非表示を個別に切り替えることができる。
【００６５】
図７Ａ，７Ｂの動態画像ＤＰ１には、配達グループ２に所属する１０人の配達員１１〜２０の現在位置Ｐ１１〜Ｐ２０を示す位置アイコンＰＩ１１〜ＰＩ２０がリアルタイムで表示される（第２グループ表示モード）。図７Ａ，７Ｂの地図画像ＭＡＰを比較すると、図７Ｂの地図画像ＭＡＰの方が図７Ａの地図画像ＭＡＰよりも広域あるいは縮小された表示となっている。
【００６６】
例えば、ログイン状態の全ての配達員が表示された状態で、通常の配達時は図７Ａのような表示であるとすると、図７Ｂのような表示の場合には、配送拠点の管理者が異常に気付くことができる。すなわち、図７Ｂのように配達員が通常とは異なる場所に移動しているような場合には、地図の縮尺や表示位置が通常とは異なる状態になるため、管理者は通常と異なる状況を容易に認識することができる。
【００６７】
配達グループ１〜３ごとの動態表示では、各配達グループに所属する配達員のうち、ログイン状態である全ての配達員の現在位置が表示可能となるように、動態画像ＤＰ１における地図の縮尺および中心位置が自動的に調整される。配達グループ１〜３ごとに動態表示されるときの動態画像ＤＰ１における地図として、配達員の現在位置にかかわらず、配達グループ１〜３ごとに予め設定されたエリア、例えば担当エリアを表示するように設定してもよい。
【００６８】
図８の動態画像ＤＰ１には、配達グループ３に所属する１０人の配達員２１〜３０のうち、ログイン状態である３人の配達員２１〜２３の現在位置Ｐ２１〜Ｐ２３を示す位置アイコンＰＩ２１〜ＰＩ２３がリアルタイムで表示される（第３グループ表示モード）。
【００６９】
図８のメニューＤＰ２では、自動切替ボタンＢＴ１が強調表示されている。図４〜図７Ｂの画面表示ＤＰにおいて管理者端末３のタッチパネル（入力部３５）を介してメニューＤＰ２の自動切替ボタンＢＴ１が押下されると、自動切替ボタンＢＴ１が強調表示され、動態画像ＤＰ１の表示モードを自動的に切り替える自動切替機能がオンになる。
【００７０】
なお、自動切替機能がオンのときに、管理者端末３のタッチパネル（入力部３５）を介してメニューＤＰ２の地図表示ボタンＢＴ６１〜ＢＴ６３が押下されると、自動切替機能がオフになり、配達グループごとの表示モードに切り替わる。
【００７１】
また、自動切替機能がオンのときに、管理者端末３のタッチパネル（入力部３５）を介して動態画像ＤＰ１における地図の縮尺や中心位置等が操作されると、自動切替機能がオフになる。この場合、自動切替機能がオフにされた時点の表示モードのまま自動切替機能がオフになる。
【００７２】
図３に示すように、表示制御部２０３は、表示モード切替部２０４を有する。表示モード切替部２０４は、管理者端末３のタッチパネル（入力部３５）を介して入力される指令に応じて自動切替機能がオンになると、配達グループ１〜３ごとの配達員の動態を表示する第１〜第３グループ表示モードを順次、切り替える。
【００７３】
具体的には、第１〜第３グループ表示モードを所定時間（例えば、５秒間）おきに順次、切り替える。全ての配達グループ１〜３の配達員の動態を表示する全グループ表示モードと、第１〜第３グループ表示モードとを所定時間おきに順次、自動的に切り替えてもよい。
【００７４】
図３の情報出力部２０７は、通信部２２を介して管理サーバ２から管理者端末３宛てにデータを送信することで、各種情報を出力する。情報出力部２０７が出力する情報には、表示制御部２０３により生成されて管理者端末３に送信される画像信号等が含まれる。
【００７５】
図９は、予め記憶されたプログラムに従い、管理サーバ２のＣＰＵで実行される処理の一例を示すフローチャートである。このフローチャートに示す処理は、管理者端末３からの指令を受信すると開始され、所定周期で繰り返される。
【００７６】
まず、ステップＳ１で、表示モード切替部２０４での処理により、自動切替機能がオンか否かを判定する。ステップＳ１で肯定されるとステップＳ２に進み、否定されると処理を終了する。ステップＳ２では、現在表示中の表示モードに切り替えてから所定時間が経過したか否かを判定し、肯定されるとステップＳ３に進み、否定されるとステップＳ４に進む。
【００７７】
ステップＳ３では、位置情報取得部２０２での処理により、次に表示する表示モードで表示される配達員Ａ，Ｂの位置情報を読み込む。一方、ステップＳ４では、現在表示中の表示モードで表示される配達員Ａ，Ｂの位置情報を読み込む。次いで、ステップＳ５で、表示制御部２０３での処理により、ステップＳ３またはＳ４で取得された位置情報に基づいて動態画像ＤＰ１の画像信号を生成する。次いで、ステップＳ６で、情報出力部２０７での処理により、ステップＳ５で生成された画像信号を管理者端末３に送信する。
【００７８】
配送拠点の管理者は、管理者端末３の表示部３４に設けられたタッチパネルやマウス等の入力部３５を介して表示部３４に表示された自動切替ボタンＢＴ１を押下するだけの簡易な操作で、管理対象の配達員の動態を良好な態様で確認することができる。担当エリア内で配達作業を行う配達グループごとに配達員の動態が表示されるため、管理対象の配達員が多い場合や、配達員同士が互いに離間した複数のエリアに分散しているような場合にも、配達員の個々の動きを把握することができる。
【００７９】
＜管理者端末３＞
次に、管理者端末３について説明する。管理者端末３は、配送拠点の管理者が、ポスティングや配達の作業を行う配達員Ａ，Ｂの現在位置をリアルタイムで確認するために利用される。管理者端末３には、配送拠点に備え付けられたパーソナルコンピュータやタブレット型端末、スマートフォン等、種々のコンピュータが含まれ、ネットワーク４を介して、管理サーバ２と情報の送受信を行う。
【００８０】
図１０は、管理者端末３の概略構成を示すブロック図である。図１０に示すように、管理者端末３は、制御部３０と、記憶部３１と、通信部３２と、表示部３４と、入力部３５とを有する。
【００８１】
記憶部３１は、半導体メモリやハードディスクドライブ等で構成される。記憶部３１には、オペレーティングシステム（ＯＳ）やアプリケーションと呼ばれるソフトウェアや、その他の種々の情報が記憶される。記憶部３１に記憶されるソフトウェアには、ポスティングや配達の作業を管理するためのアプリケーションプログラムが含まれる。
【００８２】
通信部３２は、有線通信（例えば、インターネット回線等）または３Ｇ、ＬＴＥ、４Ｇ、５Ｇ等の無線通信をすることができる通信プロトコルを実装し、管理サーバ２と接続して送受信する。
【００８３】
表示部３４は、液晶ディスプレイまたは有機ＥＬパネル等の表示デバイスにより構成され、制御部３０からの指示を受けて、地図やタッチパネル用の操作ボタンのアイコン等を表示する。さらに表示部３４は、管理サーバ２の情報出力部２０７から送信された画像信号に基づいて各種画像を表示する。
【００８４】
入力部３５は、管理者によって操作されるテンキーなどの物理スイッチや、表示部３４の表示面に重ねて設けられたタッチパネル等の入力装置（図示せず）などで構成される。入力部３５を介して、表示部３４の表示画面の切替え指令が入力される。各配達グループの担当エリアの設定（配達先の仕分け）は、入力部３５を介して行うことができる。
【００８５】
制御部３０は、ＣＰＵ、ＲＡＭ、ＲＯＭ、Ｉ／Ｏ等を有するプロセッサを含んで構成される。制御部３０は、機能的構成として、表示制御部３０１と、接続処理部３０２と、動態表示要求部３０３と、サーバ情報取得部３０４とを有する。
【００８６】
表示制御部３０１は、入力部３５の操作に応じて画像信号を生成して表示部３４に送信することで、表示部３４による画面表示を制御する。表示制御部３０１が表示部３４に表示させる画面には、動態表示システム１００にログインするためのログイン画面、各配達グループの担当エリアを設定する設定画面などが含まれる。
【００８７】
接続処理部３０２は、例えば、配送拠点の管理者または責任者を識別する識別番号（拠点管理者ＩＤ）およびパスワードを用いて、管理サーバ２に対してログイン処理を実行する。
【００８８】
動態表示要求部３０３は、管理者による入力部３５の操作に応じて、動態画像ＤＰ１を表示するための画像信号の出力要求（指令）を管理サーバ２に送信する。例えば、接続処理部３０２によりログイン処理が実行されると、同時に、動態画像ＤＰ１を表示するための画像信号の出力要求を管理サーバ２に送信する。
【００８９】
サーバ情報取得部３０４は、管理サーバ２（情報出力部２０７）から送信された画像信号等を取得する。サーバ情報取得部３０４により画像信号が取得されると、表示部３４に各種画像（図４、図５、図７Ａ〜図８）が表示される。
【００９０】
［動態表示システム１００の動作］
次に、動態表示システム１００の動作の一例について説明する。車両６Ａ，６Ｂを運転する配達員Ａ，Ｂは、それぞれ、例えば配送拠点から出発する際、すなわち始業時に、配達員端末１Ａ，１Ｂの表示部１４に表示されるログイン画面上で、入力部１５を介して自身のログインＩＤ及びパスワードを入力する。この入力がなされると、管理サーバ２は、配達員端末１Ａ，１Ｂとの接続処理を行う。
【００９１】
その後、配達員端末１Ａ、１Ｂは、所定の時間間隔（例えば１秒間隔）で管理サーバ２と通信し、配達員Ａ，Ｂまたは車両６Ａ、６Ｂの位置情報を管理サーバ２に送信する。配達員端末１Ａ、１Ｂと管理サーバ２との通信は、配達員端末１Ａ，１Ｂがログアウト操作するまで継続される。
【００９２】
一方、配送拠点の管理者は、管理者端末３のタッチパネル（入力部３５）を操作してポスティングや配達の作業を管理するためのアプリケーションプログラムを起動し、表示部３４に表示されるログイン画面上で拠点管理者ＩＤおよびパスワードを入力する。この入力がなされると、管理サーバ２は、管理者端末３との接続処理を行う。
【００９３】
管理サーバ２は、管理者端末３からの指令に応じて、拠点管理者ＩＤに対応する配達員の現在位置Ｐを表示する動態画像ＤＰ１およびメニューＤＰ２の画像信号を生成して管理者端末３に送信する。配送拠点の管理者が表示部３４に表示されるメニューＤＰ２の自動切替ボタンＢＴ１を押下して自動切替機能をオンにすると、配達グループごとの動態画像ＤＰ１が自動的に、順次、切り替えて表示される（図９のステップＳ１〜Ｓ６）（図４、図５、図７Ａ〜図８）。
【００９４】
これにより配送拠点の管理者は、管理対象の配達員の動態を良好な態様で確認することができる。管理対象となる配達員の人数や密集度によっては、図４に示すように、すべての配達員の現在位置を一度に表示すると地図が広域表示となり、各配達員の現在位置を示す位置アイコンＰＩ同士が重なるなどして個々の配達員の現在位置や動きを把握することが難しい。
【００９５】
一方、個々の配達員の現在位置や動きを把握できるよう、管理者であるユーザ自身が図５、図７Ａ〜図８に示すような地図の縮尺や中心位置になるよう操作するのは、ユーザにとって煩雑となる。この点、動態表示装置５では、図５、図７Ａ〜図８あるいは図４、図５、図７Ａ〜図８の表示モードを自動的に切り替えて動態画像ＤＰ１が表示されるため、管理者は、時々刻々と変化する配達員の動態を多面的に把握することができる。
【００９６】
複数のグループに所属する配達員の動態を多面的に把握するには、複数の表示モードの画面表示ＤＰをマルチディスプレイ表示することもできるが、この場合は個々の画面表示ＤＰが小さくなる、あるいは表示部３４として大型のディスプレイが必要となる。この点、動態表示装置５では、表示モードを適宜な時間間隔で自動的に切り替えて動態画像ＤＰ１が表示されるため、例えば表示部３４がタブレット端末等の比較的小型のディスプレイであっても、時々刻々と変化する配達員の動態を多面的に把握することができる。
【００９７】
本実施形態によれば以下のような作用効果を奏することができる。
（１）動態表示装置５は、複数の配達グループ１〜３のいずれかに属する複数の配達員の現在位置Ｐをリアルタイムで表示する（図４、図５、図７Ａ〜図８）。動態表示装置５は、複数の配達員のそれぞれの位置情報を取得する位置情報取得部２０２と、表示部３４と、位置情報取得部２０２により取得された位置情報に基づいて、地図画像ＭＡＰ上に配達員の現在位置Ｐを示す位置アイコンＰＩをリアルタイムで表示するように表示部３４を制御する表示制御部２０３とを備える（図３、図１０）。
【００９８】
表示制御部２０３は、配達グループ１〜３に属する配達員の位置アイコンＰＩをリアルタイムで表示する第１〜第３グループ表示モードを含む複数の表示モードを所定の時間間隔で切り替える表示モード切替部２０４を有する（図３）。これにより複数の配達員の現在位置がグループごとに表示されるため、配送拠点の管理者は、良好な態様で全ての配達員の現在位置を把握できるとともに、各配達員の現在の状況を詳細に把握することができる。
【００９９】
すなわち、グループごとに動態表示を行うことで、地図が広域になり過ぎることを抑制することができ、管理者にとって見やすい画面表示とすることができる。また、グループごとの表示が自動的に切り替えられるため、管理者は地図の縮尺や表示位置の調整操作を行う必要がなく、動態の把握に集中することができる。
【０１００】
（２）動態表示装置５は、配送拠点の管理者からの指令を受け付ける入力部３５をさらに備える（図１０）。表示制御部２０３は、入力部３５により受け付けられた指令に応じて、表示モード切替部２０４による表示モードの切替を停止する。これにより、必要に応じて自動切替を停止できるため、注目したい配達グループや配達員がいる場合や、注目したいエリアがある場合でも、良好な態様で配達員の動きを把握することができる。
【０１０１】
（３）入力部３５は、表示部３４に押下可能に表示される自動切替ボタンＢＴ１が管理者により押下されたことを契機として管理者からの指令を受け付ける。表示部３４上で管理者により操作可能な自動切替ボタンＢＴ１を設けることで、管理者は、必要に応じ、簡易な操作で表示モードの自動切替を停止することができる。
【０１０２】
（４）入力部３５は、表示部３４に選択可能に表示される複数の配達グループ１〜３のそれぞれに対応した複数の地図表示ボタンＢＴ６１〜ＢＴ６３のいずれかが管理者により選択されたことを契機として管理者からの指令を受け付ける。表示モード切替部２０４は、管理者により選択された配達グループを表示するように表示モードを切り替える。表示制御部２０３は、入力部３５により受け付けられた指令に応じて、表示モード切替部２０４による表示モードの切替を停止する。
【０１０３】
これにより管理者は、簡易な操作で迅速に、注目したい配達グループごとの表示モードに切り替えることができる。また、管理者による操作により表示モードが切り替えられると表示モードの自動切替が停止されるため、管理者が注目している配達グループの表示が自動的に切り替えられることがなく、管理者の意図に沿った画面表示を提供することができる。
【０１０４】
（５）地図画像ＭＡＰは、縮尺および位置を変更する操作可能に、表示部３４に表示される。入力部３５は、地図画像ＭＡＰが管理者により操作されたことを契機として管理者からの指令を受け付ける。表示制御部２０３は、入力部３５により受け付けられた指令に応じて、表示モード切替部２０４による表示モードの切替を停止する。
【０１０５】
管理者による操作により地図画像ＭＡＰの縮尺や位置を変更する操作が行われると表示モードの自動切替が停止されるため、管理者が注目している地図の表示が自動的に切り替えられることがなく、管理者の意図に沿った画面表示を提供することができる。
【０１０６】
（６）表示制御部２０３は、表示モード切替部２０４により表示モードが第１〜第３グループ表示モードに切り替えられると、位置情報取得部２０２により位置情報が取得された配達グループ１〜３に属する全ての配達員の位置アイコンＰＩをリアルタイムで表示するように表示部３４を制御する。
【０１０７】
これにより、例えば図７Ｂに示すように同一の配達グループ内の配達員が分散しているような場合でも、同一の配達グループ内の全てのログイン状態の配達員の現在位置が自動的に表示されるため、各配達グループの状況を的確に把握することができる。例えば、配達員が通常とは異なる場所に移動しているような場合には、地図の縮尺や表示位置が通常とは異なる状態になるため、通常と異なる状況を容易に認識することができる。
【０１０８】
（７）表示モード切替部２０４は、複数の配達グループ１〜３を同時に表示する全グループ表示モードをさらに含む複数の表示モードを所定の時間間隔で切り替える。これにより、配達グループ同士の位置関係を把握するとともに、個々の配達員の動態も把握することができる。このため、全体の動態を俯瞰した後に部分の動態を確認することで、配達員の状況を容易に把握できるとともに、配達員の動きを一層多面的に把握することができる。
【０１０９】
（８）表示制御部２０３は、表示モード切替部２０４により表示モードが第１〜第３グループ表示モードに切り替えられると、各配達グループ１〜３に対して予め設定された担当エリア内に位置する配達員の位置アイコンＰＩをリアルタイムで表示するように表示部３４を制御する。
【０１１０】
これにより、各配達グループに割り当てられた担当エリアにおける配達員の動きを的確に把握することができる。すなわち、常に、予め各配達グループに割り当てられた担当エリアが表示されるため、地図画像から表示中の配達グループを容易に認識することができる。また、注目したいエリア内の配達員の人数や動きを容易に把握することができる。
【０１１１】
（９）動態表示装置５は、位置情報取得部２０２により取得された位置情報に基づいて、配達員が所定範囲内に所定時間以上滞在している滞留状態であるか否かを判定する滞留判定部２０５をさらに備える（図３）。表示制御部２０３は、滞留判定部２０５により滞留状態であると判定された配達員の位置アイコンＰＩを他の配達員の位置アイコンＰＩとは識別可能な態様で表示する。あるいは、滞留判定部２０５により滞留状態であると判定された配達員について警告する滞留警告画像を表示するように表示部３４を制御する。
【０１１２】
各配達員が配達のために想定される時間を超えて１箇所に滞在している状態を認識可能な態様で表示することで、配達中のトラブル等の異常事態を早期に発見することができる。
【０１１３】
（１０）動態表示装置５は、配達員が、所定時間以上、位置情報取得部２０２により位置情報の取得が不能な通信不能状態であるか否かを判定する通信不能判定部２０６をさらに備える（図３）。表示制御部２０３は、通信不能判定部２０６により通信不能状態であると判定された配達員の位置アイコンＰＩを他の配達員の位置アイコンＰＩとは識別可能な態様で表示するように表示部３４を制御する。これにより、配達員端末１Ａ，１Ｂの故障等を早期に発見することができる。
【０１１４】
なお、上記実施形態は種々の形態に変形することができる。以下、変形例について説明する。上記実施形態では、動態表示装置５により、ポスティングや配達の作業を行う配達員の動きをリアルタイムで表示する例を説明したが、動態表示装置は複数のグループのいずれかに属する複数の表示対象の現在位置をリアルタイムで表示するものであれば、どのようなものでもよい。例えば、大型施設の来場者の動きを、来場者のグループごと、あるいは滞在中のエリアごとにリアルタイムで表示してもよい。
【０１１５】
上記実施形態では、位置情報取得部２０２が配達員端末１Ａ，１Ｂ側で算出された位置情報を取得するようにしたが、表示対象の位置情報を取得する位置情報取得部の構成はこれに限らない。例えば、配達員端末１Ａ，１Ｂ側で受信されたＧＰＳ信号等に基づいて、管理サーバ２で位置を算出するようにしてもよい。
【０１１６】
上記実施形態では、管理者端末３の表示部３４に設けられたタッチパネルやマウス等により管理者であるユーザからの指令を受け付けるとしたが、ユーザからの指令を受け付ける指令受付部はこのようなものに限らない。例えば、管理者端末３にマイクを設けてユーザの音声による指令を受け付けてもよく、管理者端末３にカメラを設けてユーザのジェスチャによる指令を受け付けてもよい。
【０１１７】
上記実施形態では、管理サーバ２の表示制御部２０３が管理者端末３の表示部３４を制御するとしたが、表示部を制御する表示制御部はこれに限らない。すなわち、管理者端末３の表示制御部３０１が図４、図５、図７Ａ〜図８に示すような画面表示ＤＰの画像信号を生成してもよい。
【０１１８】
以上では、本発明を動態表示装置５として説明したが、本発明は、複数のグループのいずれかに属する複数の表示対象の現在位置をリアルタイムで表示する動態表示方法として用いることもできる。すなわち、動態表示方法は、複数の配達員のそれぞれの位置情報を取得し（図９のステップＳ３，Ｓ４）、取得した位置情報に基づいて、地図画像ＭＡＰ上に配達員の現在位置Ｐを示す位置アイコンＰＩをリアルタイムで表示するように表示部３４を制御し（ステップＳ５，Ｓ６）、配達グループ１〜３に属する配達員の位置アイコンＰＩをリアルタイムで表示する第１〜第３グループ表示モードを含む複数の表示モードを所定の時間間隔で切り替える（ステップＳ１、Ｓ２）ことを含む。
【０１１９】
以上では、動態表示プログラムを管理サーバ２の記憶部２１に格納したが、フラッシュメモリ等の外部記憶媒体に格納してもよい。ネットワーク４を介して動態表示システム１００の外部から動態表示プログラムを取得することもできる。
【０１２０】
以上の説明はあくまで一例であり、本発明の特徴を損なわない限り、上述した実施形態および変形例により本発明が限定されるものではない。上記実施形態と変形例の１つまたは複数を任意に組み合わせることも可能であり、変形例同士を組み合わせることも可能である。
【符号の説明】
【０１２１】
１Ａ，１Ｂ  配達員端末、２  管理サーバ、３  管理者端末、４  ネットワーク、５  動態表示装置、６Ａ，６Ｂ  車両、１０  制御部、１１  記憶部、１２  無線部、１３  センサ部、１３ａ  ＧＰＳセンサ、１３ｂ  ジャイロセンサ、１４  表示部、１５  入力部、２０  制御部、２１  記憶部、２２  通信部、２４  表示部、２５  入力部、３０  制御部、３１  記憶部、３２  通信部、３４  表示部、３５  入力部、１００  動態表示システム、１０１  表示制御部、１０２  接続処理部、１０３  位置情報通知部、２０１  接続処理部、２０２  位置情報取得部、２０３  表示制御部、２０４  表示モード切替部、２０５  滞留判定部、２０６  通信不能判定部、２０７  情報出力部、２１１  配達員情報エリア、２１２  車両情報エリア、２１３  配達先情報エリア、２１４  地図情報エリア、３０１  表示制御部、３０２  接続処理部、３０３  動態表示要求部、３０４  サーバ情報取得部
【図１】
2020105193.tif 000003
【図２】
2020105193.tif 000004
【図３】
2020105193.tif 000005
【図４】
2020105193.tif 000006
【図５】
2020105193.tif 000007
【図６】
2020105193.tif 000008
【図７Ａ】
2020105193.tif 000009
【図７Ｂ】
2020105193.tif 000010
【図８】
2020105193.tif 000011
【図９】
2020105193.tif 000012
【図１０】
2020105193.tif 000013
【手続補正書】
【提出日】令和1年10月17日(2019.10.17)
【手続補正１】
【補正対象書類名】特許請求の範囲
【補正対象項目名】全文
【補正方法】変更
【補正の内容】
【特許請求の範囲】
【請求項１】
第１グループと第２グループとを含む複数のグループのいずれかに属する複数の表示対象の現在位置をリアルタイムで表示する動態表示装置であって、
前記複数の表示対象のそれぞれの位置情報を取得する位置情報取得部と、
表示部と、
前記位置情報取得部により取得された位置情報に基づいて、地図画像上に前記表示対象の現在位置を示すアイコン画像をリアルタイムで表示するように前記表示部を制御する表示制御部と、を備え、
前記表示制御部は、前記第１グループに属する表示対象の前記アイコン画像をリアルタイムで前記表示部に表示する第１グループ表示モードと、前記第２グループに属する表示対象の前記アイコン画像をリアルタイムで前記表示部に表示する第２グループ表示モードと、を含む複数の表示モードを所定の時間間隔で切り替える表示モード切替部を有し、前記表示モード切替部により表示モードが前記第１グループ表示モードに切り替えられると、前記第１グループに対して予め設定された第１エリア内に位置する表示対象の前記アイコン画像をリアルタイムで表示し、前記表示モード切替部により表示モードが前記第２グループ表示モードに切り替えられると、前記第２グループに対して予め設定された第２エリア内に位置する表示対象の前記アイコン画像をリアルタイムで表示するように前記表示部を制御し、前記第１グループに属する表示対象は、前記第１エリア内で作業を行う作業者であり、前記第２グループに属する表示対象は、前記第２エリア内で作業を行う作業者であることを特徴とする動態表示装置。
【請求項２】
請求項１に記載の動態表示装置において、
ユーザからの指令を受け付ける指令受付部をさらに備え、
前記表示制御部は、前記指令受付部により受け付けられた指令に応じて、前記表示モード切替部による表示モードの切替を停止することを特徴とする動態表示装置。
【請求項３】
請求項２に記載の動態表示装置において、
前記指令受付部は、前記表示部に押下可能に表示されるボタン画像がユーザにより押下されたことを契機としてユーザからの指令を受け付けることを特徴とする動態表示装置。
【請求項４】
請求項２または３に記載の動態表示装置において、
前記指令受付部は、前記表示部に選択可能に表示される前記複数のグループのそれぞれに対応した複数のボタン画像のいずれかがユーザにより選択されたことを契機としてユーザからの指令を受け付け、
前記表示モード切替部は、ユーザにより選択されたグループを前記表示部に表示するように前記表示モードを切り替え、
前記表示制御部は、前記指令受付部により受け付けられた指令に応じて、前記表示モード切替部による表示モードの切替を停止することを特徴とする動態表示装置。
【請求項５】
請求項２〜４のいずれか１項に記載の動態表示装置において、
前記地図画像は、縮尺および位置を変更する操作可能に、前記表示部に表示され、
前記指令受付部は、前記地図画像がユーザにより操作されたことを契機としてユーザからの指令を受け付け、
前記表示制御部は、前記指令受付部により受け付けられた指令に応じて、前記表示モード切替部による表示モードの切替を停止することを特徴とする動態表示装置。
【請求項６】
請求項１〜５のいずれか１項に記載の動態表示装置において、
前記表示制御部は、前記表示モード切替部により表示モードが前記第１グループ表示モードに切り替えられると、前記位置情報取得部により位置情報が取得された前記第１グループに属する全ての表示対象の前記アイコン画像をリアルタイムで表示し、前記表示モード切替部により表示モードが前記第２グループ表示モードに切り替えられると、前記位置情報取得部により位置情報が取得された前記第２グループに属する全ての表示対象の前記アイコン画像をリアルタイムで表示するように前記表示部を制御することを特徴とする動態表示装置。
【請求項７】
請求項６に記載の動態表示装置において、
前記表示モード切替部は、前記複数のグループを同時に前記表示部に表示する全グループ表示モードをさらに含む前記複数の表示モードを所定の時間間隔で切り替えることを特徴とする動態表示装置。
【請求項８】
（削除）
【請求項９】
請求項１〜７のいずれか１項に記載の動態表示装置において、
前記位置情報取得部により取得された位置情報に基づいて、前記表示対象が所定範囲内に所定時間以上滞在している滞留状態であるか否かを判定する滞留判定部をさらに備え、
前記表示制御部は、前記滞留判定部により前記滞留状態であると判定された表示対象の前記アイコン画像を他の表示対象の前記アイコン画像とは識別可能な態様で表示する、あるいは、前記滞留判定部により前記滞留状態であると判定された表示対象について警告する滞留警告画像を表示するように前記表示部を制御することを特徴とする動態表示装置。
【請求項１０】
請求項１〜７，９のいずれか１項に記載の動態表示装置において、
前記表示対象が、所定時間以上、前記位置情報取得部により位置情報の取得が不能な通信不能状態であるか否かを判定する通信不能判定部をさらに備え、
前記表示制御部は、前記通信不能判定部により前記通信不能状態であると判定された表示対象の前記アイコン画像を他の表示対象の前記アイコン画像とは識別可能な態様で表示するように前記表示部を制御することを特徴とする動態表示装置。
【請求項１１】
請求項１〜７，９，１０のいずれか１項に記載の動態表示装置と、
前記表示対象とともに移動し、前記表示対象の位置情報を前記動態表示装置に送信する移動端末と、を備えることを特徴とする動態表示システム。
【請求項１２】
第１グループと第２グループとを含む複数のグループのいずれかに属する複数の表示対象の現在位置をリアルタイムで表示部に表示する動態表示方法であって、
前記複数の表示対象のそれぞれの位置情報を取得する位置情報取得手順と、
前記位置情報取得手順で取得した位置情報に基づいて、地図画像上に前記表示対象の現在位置を示すアイコン画像をリアルタイムで表示するように前記表示部を制御する表示制御手順と、
前記第１グループに属する表示対象の前記アイコン画像をリアルタイムで前記表示部に表示する第１グループ表示モードと、前記第２グループに属する表示対象の前記アイコン画像をリアルタイムで前記表示部に表示する第２グループ表示モードと、を含む複数の表示モードを所定の時間間隔で切り替える表示モード切替手順と、を含み、
前記表示制御手順は、前記表示モード切替手順で表示モードが前記第１グループ表示モードに切り替えられると、前記第１グループに対して予め設定された第１エリア内に位置する表示対象の前記アイコン画像をリアルタイムで表示し、前記表示モード切替手順で表示モードが前記第２グループ表示モードに切り替えられると、前記第２グループに対して予め設定された第２エリア内に位置する表示対象の前記アイコン画像をリアルタイムで表示するように前記表示部を制御することを含み、
前記第１グループに属する表示対象は、前記第１エリア内で作業を行う作業者であり、
前記第２グループに属する表示対象は、前記第２エリア内で作業を行う作業者であることを特徴とする動態表示方法。
【請求項１３】
第１グループと第２グループとを含む複数のグループのいずれかに属する複数の表示対象の現在位置をリアルタイムで表示部に表示する動態表示プログラムであって、
前記複数の表示対象のそれぞれの位置情報を取得する位置情報取得手順と、
前記位置情報取得手順で取得した位置情報に基づいて、地図画像上に前記表示対象の現在位置を示すアイコン画像をリアルタイムで表示するように前記表示部を制御する表示制御手順と、
前記第１グループに属する表示対象の前記アイコン画像をリアルタイムで前記表示部に表示する第１グループ表示モードと、前記第２グループに属する表示対象の前記アイコン画像をリアルタイムで前記表示部に表示する第２グループ表示モードと、を含む複数の表示モードを所定の時間間隔で切り替える表示モード切替手順と、をコンピュータに実行させ、
前記表示制御手順は、前記表示モード切替手順で表示モードが前記第１グループ表示モードに切り替えられると、前記第１グループに対して予め設定された第１エリア内に位置する表示対象の前記アイコン画像をリアルタイムで表示し、前記表示モード切替手順で表示モードが前記第２グループ表示モードに切り替えられると、前記第２グループに対して予め設定された第２エリア内に位置する表示対象の前記アイコン画像をリアルタイムで表示するように前記表示部を制御することを含み、
前記第１グループに属する表示対象は、前記第１エリア内で作業を行う作業者であり、
前記第２グループに属する表示対象は、前記第２エリア内で作業を行う作業者であることを特徴とする動態表示プログラム。
【手続補正２】
【補正対象書類名】明細書
【補正対象項目名】０００２
【補正方法】変更
【補正の内容】
【０００２】
した複数のエリアに分散している場合、個々の車両の動きを見るには地図画面を操作して表示位置を調整する必要があり、ユーザにとって手間となる。また、表示位置の異なる複数の地図画面を同時に表示するには、複数のディスプレイあるいは大型のディスプレイが必要となり、装置全体のコストが増大する。
課題を解決するための手段
［０００６］
本発明の一態様は、第１グループと第２グループとを含む複数のグループのいずれかに属する複数の表示対象の現在位置をリアルタイムで表示する動態表示装置であって、複数の表示対象のそれぞれの位置情報を取得する位置情報取得部と、表示部と、位置情報取得部により取得された位置情報に基づいて、地図画像上に表示対象の現在位置を示すアイコン画像をリアルタイムで表示するように表示部を制御する表示制御部と、を備える。表示制御部は、第１グループに属する表示対象のアイコン画像をリアルタイムで表示部に表示する第１グループ表示モードと、第２グループに属する表示対象のアイコン画像をリアルタイムで表示部に表示する第２グループ表示モードと、を含む複数の表示モードを所定の時間間隔で切り替える表示モード切替部を有し、表示モード切替部により表示モードが第１グループ表示モードに切り替えられると、第１グループに対して予め設定された第１エリア内に位置する表示対象のアイコン画像をリアルタイムで表示し、表示モード切替部により表示モードが第２グループ表示モードに切り替えられると、第２グループに対して予め設定された第２エリア内に位置する表示対象のアイコン画像をリアルタイムで表示するように表示部を制御する。第１グループに属する表示対象は、第１エリア内で作業を行う作業者であり、第２グループに属する表示対象は、第２エリア内で作業を行う作業者である。
［０００７］
本発明の別の態様である動態表示システムは、動態表示装置と、表示対象とともに移動し、表示対象の位置情報を動態表示装置に送信する移動端末と、を備える。
［０００８］
本発明のさらなる別の態様は、第１グループと第２グループとを含む複数のグループのいずれかに属する複数の表示対象の現在位置をリアルタイムで表示部に表示する動態表示方法であって、複数の表示対象のそれぞれの位置情報を取得する位置情報取得手順と、位置情報取得手順で取得した位置情報に基づいて、地図画像上に表示対象の現在位置を示すアイコン画像をリアルタイムで表示するように表示部を制御する表示制御手順と、第１グループに属する表示対象のアイコン画像をリアルタイムで表示部に表示する第１グループ表示モードと、第２グループに属する表示対象のアイコン画像をリアルタイムで表示部に表示する第２グループ表示モードと、を含む複数の表示モードを所定の時間間隔で切り替える表示モード切替手順と、を含む。表示制御手順は、表示モード切替手順で表示モードが第１グループ表示モードに切り替えられると、第１グループに対して予め設定された第１エリア内に位置する表示対象のアイコン画像をリアルタイムで表示し、表示モード切替手順で表示モードが第２グループ表示モードに切り替えられると、第２グループに対して予め設定された第２エリア内に位置する表示対象のアイコン画像をリアルタイムで表示するように表示部を制御することを含み、第１グループに属する表示対象は、第１エリア内で作業を行う作業者であり、第２グループに属する表示対象は、第２エリア内で作業を行う作業者である。
【手続補正３】
【補正対象書類名】明細書
【補正対象項目名】０００３
【補正方法】変更
【補正の内容】
【０００３】
［０００９］
本発明のさらなる別の態様は、第１グループと第２グループとを含む複数のグループのいずれかに属する複数の表示対象の現在位置をリアルタイムで表示部に表示する動態表示プログラムであって、複数の表示対象のそれぞれの位置情報を取得する位置情報取得手順と、位置情報取得手順で取得した位置情報に基づいて、地図画像上に表示対象の現在位置を示すアイコン画像をリアルタイムで表示するように表示部を制御する表示制御手順と、第１グループに属する表示対象のアイコン画像をリアルタイムで表示部に表示する第１グループ表示モードと、第２グループに属する表示対象のアイコン画像をリアルタイムで表示部に表示する第２グループ表示モードと、を含む複数の表示モードを所定の時間間隔で切り替える表示モード切替手順と、をコンピュータに実行させる。表示制御手順は、表示モード切替手順で表示モードが第１グループ表示モードに切り替えられると、第１グループに対して予め設定された第１エリア内に位置する表示対象のアイコン画像をリアルタイムで表示し、表示モード切替手順で表示モードが第２グループ表示モードに切り替えられると、第２グループに対して予め設定された第２エリア内に位置する表示対象のアイコン画像をリアルタイムで表示するように表示部を制御することを含み、第１グループに属する表示対象は、第１エリア内で作業を行う作業者であり、第２グループに属する表示対象は、第２エリア内で作業を行う作業者である。
発明の効果
［００１０］
本発明によれば、表示対象の動態を良好な態様で表示することができる。
図面の簡単な説明
［００１１］
［図１］本発明の実施形態に係る動態表示装置を含む動態表示システムのシステム構成の一例を示す図。
［図２］図１の配達員端末の概略構成を示すブロック図。
［図３］図１の管理サーバの概略構成を示すブロック図。
［図４］全グループ表示モードにおいて図１の管理者端末の表示部に表示される画面表示の一例。
［図５］第１グループ表示モードにおいて図１の管理者端末の表示部に表示される画面表示の一例。
［図６］図１の配達員端末の状態について説明するための図。
［図７Ａ］第２グループ表示モードにおいて図１の管理者端末の表示部に表示される画面表示の一例。
［図７Ｂ］第２グループ表示モードにおいて図１の管理者端末の表示部に表示される画面表示の別の例。
［図８］第３グループ表示モードにおいて図１の管理者端末の表示部に表示される画面表示の一例。
【手続補正書】
【提出日】令和3年5月14日(2021.5.14)
【手続補正１】
【補正対象書類名】特許請求の範囲
【補正対象項目名】全文
【補正方法】変更
【補正の内容】
【特許請求の範囲】
【請求項１】
第１グループと第２グループとを含む複数のグループのいずれかに属する複数の表示対象の現在位置をリアルタイムで表示する動態表示装置であって、
前記複数の表示対象のそれぞれの位置情報を取得する位置情報取得部と、
表示部と、
前記位置情報取得部により取得された位置情報に基づいて、地図画像上に前記表示対象の現在位置を示すアイコン画像をリアルタイムで表示するように前記表示部を制御する表示制御部と、を備え、
前記表示制御部は、前記第１グループに属する表示対象の前記アイコン画像をリアルタイムで前記表示部に表示する第１グループ表示モードと、前記第２グループに属する表示対象の前記アイコン画像をリアルタイムで前記表示部に表示する第２グループ表示モードと、を含む複数の表示モードを所定の時間間隔で切り替える表示モード切替部を有し、前記表示モード切替部により表示モードが前記第１グループ表示モードに切り替えられると、前記第１グループに対して予め設定された第１エリア内に位置する表示対象の前記アイコン画像をリアルタイムで表示し、前記表示モード切替部により表示モードが前記第２グループ表示モードに切り替えられると、前記第２グループに対して予め設定された第２エリア内に位置する表示対象の前記アイコン画像をリアルタイムで表示するように前記表示部を制御し、前記第１グループに属する表示対象は、前記第１エリア内で作業を行う作業者であり、前記第２グループに属する表示対象は、前記第２エリア内で作業を行う作業者であることを特徴とする動態表示装置。
【請求項２】
請求項１に記載の動態表示装置において、
ユーザからの指令を受け付ける指令受付部をさらに備え、
前記表示制御部は、前記指令受付部により受け付けられた指令に応じて、前記表示モード切替部による表示モードの切替を停止することを特徴とする動態表示装置。
【請求項３】
請求項２に記載の動態表示装置において、
前記指令受付部は、前記表示部に押下可能に表示されるボタン画像がユーザにより押下されたことを契機としてユーザからの指令を受け付けることを特徴とする動態表示装置。
【請求項４】
請求項２または３に記載の動態表示装置において、
前記指令受付部は、前記表示部に選択可能に表示される前記複数のグループのそれぞれに対応した複数のボタン画像のいずれかがユーザにより選択されたことを契機としてユーザからの指令を受け付け、
前記表示モード切替部は、ユーザにより選択されたグループを前記表示部に表示するように前記表示モードを切り替え、
前記表示制御部は、前記指令受付部により受け付けられた指令に応じて、前記表示モード切替部による表示モードの切替を停止することを特徴とする動態表示装置。
【請求項５】
請求項２〜４のいずれか１項に記載の動態表示装置において、
前記地図画像は、縮尺および位置を変更する操作可能に、前記表示部に表示され、
前記指令受付部は、前記地図画像がユーザにより操作されたことを契機としてユーザからの指令を受け付け、
前記表示制御部は、前記指令受付部により受け付けられた指令に応じて、前記表示モード切替部による表示モードの切替を停止することを特徴とする動態表示装置。
【請求項６】
請求項１〜５のいずれか１項に記載の動態表示装置において、
前記表示制御部は、前記表示モード切替部により表示モードが前記第１グループ表示モードに切り替えられると、前記位置情報取得部により位置情報が取得された前記第１グループに属する全ての表示対象の前記アイコン画像をリアルタイムで表示し、前記表示モード切替部により表示モードが前記第２グループ表示モードに切り替えられると、前記位置情報取得部により位置情報が取得された前記第２グループに属する全ての表示対象の前記アイコン画像をリアルタイムで表示するように前記表示部を制御することを特徴とする動態表示装置。
【請求項７】
請求項６に記載の動態表示装置において、
前記表示モード切替部は、前記複数のグループを同時に前記表示部に表示する全グループ表示モードをさらに含む前記複数の表示モードを所定の時間間隔で切り替えることを特徴とする動態表示装置。
【請求項８】
請求項１〜７のいずれか１項に記載の動態表示装置において、
前記位置情報取得部により取得された位置情報に基づいて、前記表示対象が所定範囲内に所定時間以上滞在している滞留状態であるか否かを判定する滞留判定部をさらに備え、
前記表示制御部は、前記滞留判定部により前記滞留状態であると判定された表示対象の前記アイコン画像を他の表示対象の前記アイコン画像とは識別可能な態様で表示する、あるいは、前記滞留判定部により前記滞留状態であると判定された表示対象について警告する滞留警告画像を表示するように前記表示部を制御することを特徴とする動態表示装置。
【請求項９】
請求項１〜８のいずれか１項に記載の動態表示装置において、
前記表示対象が、所定時間以上、前記位置情報取得部により位置情報の取得が不能な通信不能状態であるか否かを判定する通信不能判定部をさらに備え、
前記表示制御部は、前記通信不能判定部により前記通信不能状態であると判定された表示対象の前記アイコン画像を他の表示対象の前記アイコン画像とは識別可能な態様で表示するように前記表示部を制御することを特徴とする動態表示装置。
【請求項１０】
請求項１〜９のいずれか１項に記載の動態表示装置と、
前記表示対象とともに移動し、前記表示対象の位置情報を前記動態表示装置に送信する移動端末と、を備えることを特徴とする動態表示システム。
【請求項１１】
第１グループと第２グループとを含む複数のグループのいずれかに属する複数の表示対象の現在位置をリアルタイムで表示部に表示する動態表示方法であって、
前記複数の表示対象のそれぞれの位置情報を取得する位置情報取得手順と、
前記位置情報取得手順で取得した位置情報に基づいて、地図画像上に前記表示対象の現在位置を示すアイコン画像をリアルタイムで表示するように表示部を制御する表示制御手順と、
前記第１グループに属する表示対象の前記アイコン画像をリアルタイムで前記表示部に表示する第１グループ表示モードと、前記第２グループに属する表示対象の前記アイコン画像をリアルタイムで前記表示部に表示する第２グループ表示モードと、を含む複数の表示モードを所定の時間間隔で切り替える表示モード切替手順と、を含み、
前記表示制御手順は、前記表示モード切替手順で表示モードが前記第１グループ表示モードに切り替えられると、前記第１グループに対して予め設定された第１エリア内に位置する表示対象の前記アイコン画像をリアルタイムで表示し、前記表示モード切替手順で表示モードが前記第２グループ表示モードに切り替えられると、前記第２グループに対して予め設定された第２エリア内に位置する表示対象の前記アイコン画像をリアルタイムで表示するように前記表示部を制御することを含み、
前記第１グループに属する表示対象は、前記第１エリア内で作業を行う作業者であり、  
前記第２グループに属する表示対象は、前記第２エリア内で作業を行う作業者であることを特徴とする動態表示方法。
【請求項１２】
第１グループと第２グループとを含む複数のグループのいずれかに属する複数の表示対象の現在位置をリアルタイムで表示部に表示する動態表示プログラムであって、
前記複数の表示対象のそれぞれの位置情報を取得する位置情報取得手順と、
前記位置情報取得手順で取得した位置情報に基づいて、地図画像上に前記表示対象の現在位置を示すアイコン画像をリアルタイムで表示するように前記表示部を制御する表示制御手順と、
前記第１グループに属する表示対象の前記アイコン画像をリアルタイムで前記表示部に表示する第１グループ表示モードと、前記第２グループに属する表示対象の前記アイコン画像をリアルタイムで前記表示部に表示する第２グループ表示モードと、を含む複数の表示モードを所定の時間間隔で切り替える表示モード切替手順と、をコンピュータに実行させ、
前記表示制御手順は、前記表示モード切替手順で表示モードが前記第１グループ表示モードに切り替えられると、前記第１グループに対して予め設定された第１エリア内に位置する表示対象の前記アイコン画像をリアルタイムで表示し、前記表示モード切替手順で表示モードが前記第２グループ表示モードに切り替えられると、前記第２グループに対して予め設定された第２エリア内に位置する表示対象の前記アイコン画像をリアルタイムで表示するように前記表示部を制御することを含み、
前記第１グループに属する表示対象は、前記第１エリア内で作業を行う作業者であり、
前記第２グループに属する表示対象は、前記第２エリア内で作業を行う作業者であることを特徴とする動態表示プログラム。
【国際調査報告】
2020105193.tif 000014
2020105193.tif 000015
2020105193.tif 000016
2020105193.tif 000017